(57)【要約】【課題】    ダウンロードしたディジタルオーディオ信号を効率よく保存することができる「オーディオ受信装置」を提供する。【解決手段】  オーディオ受信装置１０は、暗号化された第１のフォーマットのディジタルオーディオ信号を受信する受信部１４と、衛星ディジタルラジオ放送との受信契約に基づき受信されたディジタルオーディオ信号のデコードを可能にするデコード部１６と、第１のフォーマットのディジタルオーディオ信号を保存する記憶装置２２と、受信契約期間の残存期間が一定値に到達したとき、記憶装置に保存された第１のフォーマットのディジタルオーディオデータをデコード部１６によりデコードさせ、かつ、デコードされたディジタルオーディオ信号をアナログオーディオ信号に変換し、変換されたアナログオーディオ信号を第２のフォーマットのディジタルオーディオ信号として記憶装置２２に保存させる制御部２８とを有する。【選択図】  図１
2007142829.tif 000002
【特許請求の範囲】
【請求項１】
ディジタルオーディオ放送を受信するオーディオ受信装置であって、
暗号化された第１のフォーマットのディジタルオーディオ信号を受信する受信手段と、
ディジタルオーディオ放送との受信契約に基づき、第１のフォーマットのディジタルオーディオ信号のデコードを可能にするデコード手段と、
受信された第１のフォーマットのディジタルオーディオ信号を保存する記憶装置と、
前記受信契約の残存期間が一定期間に達したとき、記憶装置に保存されている第１のフォーマットのディジタルオーディオデータを前記デコード手段によりデコードさせ、かつ、デコードされたディジタルオーディオ信号をアナログオーディオ信号に変換し、変換されたアナログオーディオ信号を第２のフォーマットのディジタルオーディオ信号として前記記憶装置に保存させる制御手段と、
を有するオーディオ受信装置。
【請求項２】
前記制御手段は、前記受信契約の期限が切れた後、第２のフォーマットで保存されているディジタルオーディオ信号を第３のフォーマットのオーディオ信号に圧縮して保存する、請求項１に記載のオーディオ受信装置。
【請求項３】
前記制御手段は、前記受信契約の期限が切れた後、第１のフォーマットで保存されているディジタルオーディオ信号の削除を許容するか否かの入力を促す質問を提示する、請求項１または２に記載のオーディオ受信装置。
【請求項４】
削除を許容する入力があったとき、前記制御手段は、当該入力に応答して第１のフォーマットで保存されているディジタルオーディオ信号を記憶装置から削除する、請求項１に記載のオーディオ受信装置。
【請求項５】
前記制御手段は、記憶装置の残容量が一定値になったとき、前記質問を提示する、請求項３に記載のオーディオ受信装置。
【請求項６】
前記制御手段は、前記受信契約の更新があったとき、第２のフォーマットまたは第３のフォーマットで保存されているディジタルオーディオ信号を記憶装置から削除する、請求項１ないし５いずれか１つに記載のオーディオ受信装置。
【請求項７】
ディジタルオーディオ放送は、衛星ディジタルラジオ放送である、請求項１ないし６いずれか１つに記載のオーディオ受信装置。
【請求項８】
ディジタルオーディオ受信装置におけるディジタルオーディオ信号の保存方法であって、
暗号化された第１のフォーマットのディジタルオーディオ信号を受信し、これを記憶装置に保存するステップと、
ディジタルオーディオ放送の受信契約の残存期間が一定期間に達したとき、記憶装置に保存されている第１のフォーマットのディジタルオーディオ信号をデコードし、デコードされたディジタルオーディオ信号をアナログオーディオ信号に変換し、変換されたアナログオーディオ信号を第２のフォーマットのディジタルオーディオ信号として記憶装置に保存するステップと、
を有するディジタルオーディオ信号の保存方法。
【請求項９】
前記保存方法はさらに、前記受信契約の期限が切れた後、第２のフォーマットのディジタルオーディオ信号を第３のフォーマットのオーディオ信号に圧縮して保存するステップを含む、請求項８に記載の保存方法。
【請求項１０】
前記保存方法はさらに、前記受信契約の期限が切れた後、第１のフォーマットで保存されているディジタルオーディオ信号の削除を許可するか否かの入力を促す質問を提示するステップと、
前記ステップで削除が許可された場合に、第１のフォーマットのディジタルオーディオ信号を記憶装置から削除するステップを含む、請求項８に記載の保存方法。
【請求項１１】
前記提示するステップは、記憶装置の残容量に応じて実行される、請求項１０に記載の保存方法。
【発明の詳細な説明】
【技術分野】
【０００１】
本発明は、ディジタルオーディオ放送を受信するオーディオ装置に関し、特に、衛星ディジタルラジオ放送から受信したディジタルオーディオ信号を保存する方法に関する。
【背景技術】
【０００２】
ＣＳ放送、ＢＳ放送等の衛星、地上波のディジタル放送が実用化されている。ディジタル放送により、多チャンネルの番組放送の受信が可能になっている。有料放送の場合、放送される番組は、スクランブル等の処理によって暗号化されているため、そのままの状態で受信しても、ビデオまたはオーディオを再生することができない。ユーザーは、放送会社と受信契約を結び、専用のデコーダにより暗号化されたディジタル信号を解除したり、あるいは、配布されたソフトキーによりスクランブルを解除している。
【０００３】
有料放送の受信契約の有効期間をユーザーに知らせるようにした受信装置が特許文献１に開示されている。これによれば、放送会社と受信契約することにより使用可能となるスクランブルデコーダによりスクランブル信号をデコードし、デコードされた信号に含まれる有効期限を表す情報をディスプレイに表示するようにしている。
【０００４】
【特許文献１】特開平５−８３７０７号
【発明の開示】
【発明が解決しようとする課題】
【０００５】
最近のオーディオ受信装置には、ハードディスク等の大容量の記憶装置が搭載されており、受信したディジタル放送を記憶し、後から再生できるようになっている。例えば、ＸＭラジオ放送のような有料の衛星ディジタルラジオ放送で放送された楽曲等のオーディオデータは、ＸＭ独自のデータ形式でハードディスクに保存される。これらのデータを再生するには、一旦、ＸＭモジュールによりデコードをした後、音声出力が可能になる。しかし、放送会社との契約期限が切れた場合には、ＸＭモジュールによりデコードができなくなるため、保存されたオーディオ信号を再生することができない。これにより、ＸＭラジオ放送の契約が更新されない限り、保存されたオーディオデータは不要なものとしてハードディスクに残り、容量不足の原因となりかねない。一方、受信契約の期限が切れた直後に、保存されているオーディオデータを自動的に削除することも可能であるが、その後に契約更新をした場合には、過去のオーディオデータを再生することができなくなってしまい、ユーザーにとって不都合である。
【０００６】
本発明は、ダウンロードしたディジタルオーディオ信号を効率よく保存することができるオーディオ受信装置を提供することを目的とする。
【課題を解決するための手段】
【０００７】
本発明に係る、ディジタルオーディオ放送を受信するオーディオ受信装置は、暗号化された第１のフォーマットのディジタルオーディオ信号を受信する受信手段と、ディジタルオーディオ放送との受信契約に基づき第１のフォーマットのディジタルオーディオ信号のデコードを可能にするデコード手段と、受信された第１のフォーマットのディジタルオーディオ信号を保存する記憶装置と、前記受信契約の残存期間が一定期間に達したとき、記憶装置に保存されている第１のフォーマットのディジタルオーディオデータを前記デコード手段によりデコードさせ、かつ、デコードされたディジタルオーディオ信号をアナログオーディオ信号に変換し、変換されたアナログオーディオ信号を第２のフォーマットのディジタルオーディオ信号として前記記憶装置に保存させる制御手段とを有する。
【０００８】
好ましくは、前記制御手段は、受信契約の期限が切れた後、第２のフォーマットで保存されているディジタルオーディオ信号を第３のフォーマットのオーディオ信号に圧縮して記憶装置に保存する。第２のフォーマットは、例えば、ｗａｖｅ形式であり、第３のフォーマットはＭＰ３形式である。
【０００９】
好ましくは制御手段は、受信契約の期限が切れた後、第１のフォーマットで保存されているディジタルオーディオ信号を削除してもよいか否かの入力を促す質問を提示する。例えば、オーディオ受信装置のディスプレイにこの入力表示する。制御手段は、削除を許可する入力があったき、当該入力に応答して第１のフォーマットで保存されているディジタルオーディオデータを記憶装置から削除する。制御手段は、記憶装置の残容量に応じて入力を提示する。すなわち、記憶装置の残容量が少なくなれば、早いタイミングで入力を提示するが、残量用に余裕があれば、一定の期間経過後に入力を提示する。
【００１０】
制御手段は、受信契約が更新された場合、第２のフォーマットまたは第３のフォーマットで保存されたディジタルオーディオ信号を記憶装置から削除する。受信契約中に保存されたオーディオ信号を再生することができるので、第２または第３のフォーマットのオーディオ信号は不要となる。
【００１１】
本発明に係るディジタルオーディオ受信装置におけるディジタルオーディオデータの保存方法は、受信したディジタルオーディオ信号を暗号化された第１のフォーマットで記憶装置に保存するステップと、ディジタルオーディオ放送の受信契約の残存期間が一定期間に達したとき、記憶装置に保存された第１のフォーマットのディジタルオーディオ信号をデコードし、デコードされたディジタルオーディオ信号をアナログオーディオ信号に変換し、変換されたアナログオーディオ信号を第２のフォーマットのディジタルオーディオ信号として記憶装置に保存するステップとを有する。
【００１２】
さらに、上記方法は、好ましくは、受信契約が切れた後、受信契約が更新されない場合には、第１のフォーマットのディジタルオーディオ信号の記憶装置からの削除可否の入力を促す質問を提示するステップと、そのステップで削除が許可された場合に前記第１のフォーマットのディジタルオーディオ信号を記憶装置から削除するステップとを有するものである。
【発明の効果】
【００１３】
本発明によれば、ディジタル放送の契約期限が切れる前に、暗号化されているディジタルオーディオ信号を他のフォーマットに変換して保存するようにしたので、受信契約が更新されない場合であっても、契約期間中にダウンロードしたオーディオ信号を再生することが可能となり、また、再生することができないオーディオ信号を記憶装置から削除することで、記憶装置の残容量を確保することができる。さらに、契約期限が切れてからの一定期間、ダウンロードしたディジタルオーディオ信号を保存しておくことで、契約が更新された場合に、保存しているオーディオ信号の再生を継続することができる。
【発明を実施するための最良の形態】
【００１４】
本発明の最良の実施の形態について図面を参照して詳細に説明する。
【実施例】
【００１５】
図１は、本発明の実施例に係る衛星ディジタルラジオ放送の受信装置の構成を示すブロック図である。衛星ディジタルラジオ放送は、例えば米国において広く知られているＸＭラジオ放送である。ＸＭラジオ放送は、一定の月額料金を支払うことで加入者となり、１００チャンネルを越える多彩な放送番組を楽しむことができる。
【００１６】
オーディオ受信装置１０は、衛星ディジタルラジオ放送を受信するアンテナ１２、希望局のラジオ番組を選局するチューナーを含む受信部１４、受信部１４で受信されたディジタルオーディオ信号をデコードするデコード部１６、デコードされたディジタルオーディオ信号をアナログオーディオ信号に変換し、スピーカー２０から音声出力させる再生部１８、受信部１４で受信されたディジタルオーディオ信号等を記憶する記憶装置２２、ユーザーからの入力を受け取る入力インターフェース（Ｉ／Ｆ）２４、ディスプレイ２６、および各部を制御する制御部２８と含んでいる。
【００１７】
記憶装置２２は、好ましくは大容量のデータを保存可能なハードディスクが用いられる。ハードディスクは、ＸＭラジオで放送された音楽データ等をダウンロードしたり、その他のデータやプログラム等を保存する。制御部２８は、例えばマイクロコントローラから構成され、ＲＯＭまたはＲＡＭに各部を制御するためのプログラムを格納している。
【００１８】
ＸＭラジオ等の有料の衛星ディジタルラジオ放送を受信する場合、ユーザーは、事前に放送会社と受信契約を締結する。これにより、放送会社から暗号化されたオーディオ信号を解読するためのソフトキーを受け取り、あるいは専用のデコーダまたはレシーバを受け取る。前者の場合、制御部２８は、デコード部１６にソフトキーを提供することで、デコード部１６は、暗号化されたディジタルオーディオ信号をデコードすることが可能となる。後者の場合には、デコード部１６が専用のデコーダに置き換わる。
【００１９】
制御部２８は、Ｉ／Ｆ２４を介してユーザーから希望局の指示があると、受信部１４に希望局を選局させる。ＸＭラジオ放送は、暗号化されたＸＭフォーマット（以下、ＸＭＦという）のディジタルオーディオ信号を放送し、この信号が受信部１４において受信される。ＸＭＦのディジタルオーディオ信号は、デコード部１６においてデコードされ、デコードされたオーディオ信号は再生部１８においてアナログオーディオ信号に変換され、増幅されてスピーカー２０から音声出力される。
【００２０】
オーディオ受信装置１０において音楽等のオーディオ信号を受信・再生しているとき、ユーザーが入力Ｉ／Ｆ２４を介してダウンロードを指示すると、制御部２８は、受信部１４で受信されたディジタルオーディオ信号を記憶装置２２に保存する。保存のデータ形式は、ＸＭＦである。これにより、ダウンロードされたディジタルオーディオ信号の不法なコピーが防止される。
【００２１】
また、記憶装置２２に保存されているオーディオ信号について、ユーザーから再生の指示があると、制御部２８は、記憶装置２２から暗号化されているディジタルオーディオ信号を読み出す。読み出されたオーディオ信号は、デコード部１６においてデコードされる。デコード部１６は、受信契約期間中であれば、オーディオ信号の暗号を解除することができる。デコードされたディジタルオーディオ信号は、Ｄ／Ａ変換等によりアナログオーディオ信号に変換され、音声出力される。
【００２２】
オーディオ信号のダウンロードにより、記憶装置２２の残容量が減少するため、記憶装置２２へのデータ保存を効率よく行うことが望ましい。また、ＸＭラジオ放送の受信契約の期限が切れてしまうと、デコード部１６により保存されているディジタルオーディオ信号を再生することができないので、ＸＭＦの状態で保存しておいても意味がないばかりか、記憶装置２２の記憶スペースに無駄が生じてしまう。他方、契約期限が切れた後、暫くしてから契約が更新される場合があり、このようなときに、ＸＭＦのオーディオデータが削除されていると、再生することができない。本実施例のオーディオ受信装置では、こうした受信契約の期限を考慮し、記憶装置の効率的な保存を可能にしつつ、最適なオーディオ信号再生を行なうものである。
【００２３】
図２は、本実施例のオーディオ受信装置におけるデータ保存方法を説明する動作フローである。以下の例は、受信契約の期限が切れ、更新手続がされない場合に、再生できなくなったＸＭＦのファイルの処理を説明するものである。
【００２４】
制御部２８は、受信契約が切れる前にユーザーに対して期限切れの警告を行う（ステップＳ１０１）。受信契約は、一般に、月額料金または年額料金を支払うことで有効期限が定められる。制御部２８は、例えば、その有効期限と現在日時とを比較し、契約期限が切れているか否かを判定する。例えば、契約期限が切れる１週間前となったとき、ディスプレイ２６に、契約期限切の警告を表示させる。あるいは、警告と同時に、あと何日で契約期限がきれるのかを表示するようにしてもよい。
【００２５】
次に、制御部２８は、記憶装置２２にＸＭＦのオーディオファイルが保存されている否かをチェックする（ステップＳ１０２）。図３（ａ）は、記憶装置２２のオーディオ信号の保存例を示すものであり、複数の楽曲＃Ａ、＃Ｂ、・・・＃ｎのＸＭＦのファイルが保存されている。ＸＭＦのオーディオファイルが保存されている場合、制御部２８は、記憶装置２２からＸＭＦのオーディオファイルを他のデータフォーマット（ｗａｖｅフォーマット）のオーディオファイルに変換して保存する（ステップＳ１０３）。
【００２６】
先ず、制御部２８は、記憶装置２２からＸＭＦのオーディオファイルを読み出し、読み出したＸＭＦのオーディオファイルをデコード部１６においてデコードさせる。この段階では、契約期限は切れていないため、デコード部１６は、暗号化されているＸＭＦのディジタルオーディオ信号をデコードすることができる。デコードされたオーディオ信号は、再生部１８においてアナログオーディオ信号に変換される。制御部２８はさらに、アナログオーディオ信号を再びディジタルオーディオ信号に変換する。好ましくは、アナログ波形をベースにディジタル信号を作成するための一般的な変換フォーマットである、ｗａｖｅフォーマット（以下、ＸＭＷという）が用いられる。こうして、ＸＭＦのオーディオファイルとともに、暗号化されていないＸＭＷのオーディオファイルが記憶装置２２に保存される。この変換処理は、ユーザーに知らせることなく、バックグラウンドで自動的に行われる。図３（ｂ）は、記憶装置２２に保存されたＸＭＦのオーディオファイルについて、ＸＭＷのオーディオファイルが生成された状態を示している。
【００２７】
次に、制御部２８は、契約期限を監視し、契約期限が切れたか否かを判定する（ステップＳ１０４）。契約期限が切れると、デコード部１６におけるＸＭＦのオーディオ信号のデコードができなくなる。契約期限が切れた時点、或いはその時点から所定期間が経過したとき、制御部２８は、ユーザーに対してＸＭＷのオーディオファイルの変換作業があったことを知らせる（ステップＳ１０５）。これにより、ユーザーは、契約期限が切れた状態であっても、ＸＭＷのオーディオファイルの再生が可能であることを知る。
【００２８】
さらに、制御部２８は、ＸＭＷのオーディオファイルを圧縮ファイルに変換する（ステップＳ１０６）。圧縮ファイルは、例えば、ＭＰ３である。この圧縮により、オーディオデータが１／６〜１／１０程度に圧縮され、記憶装置２２の空容量が増加する。このときの状態を図３（ｃ）に示す。なお、契約期限が切れてから、上記圧縮変換を処理するまでの間、保存されているＸＭＦのファイルに対しては、何も処理を行わずに保存し続け、ユーザーが再契約する場合に備える。
【００２９】
制御部２８は、さらに数日（例えば２週間）経過した場合、ユーザーに対してＸＭＦのオーディオファイルを削除してよいか否かの確認を促す質問をディスプレイ２６に表示する（ステップＳ１０７）。ユーザーから入力Ｉ／Ｆ２４を介して削除を了解する旨の入力があったとき（ステップＳ１０８）、制御部２８は、ＸＭＦのオーディオファイルを削除する（ステップＳ１０９）。これにより、再生することができないＸＭＦファイルが消去され、記憶装置２２の容量が増加される。
【００３０】
ＸＭＦのオーディオファイルを削除させるか否かを確認する時期は、記憶装置２２の残容量に応じて変化させることができる。記憶装置２２の容量が十分に残っている場合には、ＸＭＦファイルを保存しておく日数を長くし、その一方、容量が不足気味（ある一定の残容量になったとき）の場合には、早めにユーザーに確認を促し、削除するようにする。
【００３１】
一方、制御部２８は、ＸＭラジオとの契約が更新された場合には、自動的にＸＭＷファイルもしくはＭＰ３ファイルを削除する（ステップＳ１１０）。こうして、契約期限が切れる一定期間前から、契約期限が切れた後の一定期間の間、ＸＭＦのファイルとＸＭＷまたはＭＰ３のファイルが並存して保存され、契約更新の有無のいずれにも対応できるようになっている。
【００３２】
図４は、上記したオーディオファイルの再生・保存を表した図である。同図に示すように、契約期限が切れる一定期間前の時期Ｔ１において、契約満了の警告が通知され、これがトリガーとなって、ＸＭＦファイルからＸＭＷへの自動変換が行われ、２つのフォーマットのオーディオファイルが保存される。時期Ｔ１から契約期限が満了する時期Ｔ２までは、ＸＭＦのオーディオファイルの再生を行うことが可能である。契約期限が満了する時期Ｔ２から一定期間後の時期Ｔ３において、ＸＭＦファイルからＸＭＷファイルへの変換が行われたことがユーザー通知され、かつ、ＸＭＷファイルがＭＰ３ファイルに圧縮される。これによりユーザーは、ＭＰ３ファイルによりオーディオ再生を行なうことができる。さらに、時期Ｔ４において、ＸＭＦファイルを削除してよいか否かの確認がなされる。時期Ｔ４において、ユーザーからの削除が確認されれば、ＸＭＦファイルはすべて削除され、反対に、契約が更新されれば、ＭＰ３ファイルがすべて削除される。
【００３３】
このように本実施例によれば、ユーザーに対してＸＭラジオ放送の契約期限を自動的に知らせるとともに、時期Ｔ１から時期Ｔ４において、記憶装置２２にＸＭＦのオーディオファイルとともにＸＭＷまたはＭＰ３のオーディオファイルを保存し、その間、いずれかのファイルによりオーディオ信号の再生を可能にしている。つまり、契約期限が切れた場合でも、ある期間は元のＸＭＦファイルを保存し、その間に再契約をした場合は、今まで通りの使用が可能であり、再契約を行わない場合でもＸＭＷファイルの保存により高音質のオーディオが楽しめ、その後は、記憶装置の容量などによってフレキシブルにデータ変換・削除を行うことができる。
【００３４】
なお、上記実施例では、ＸＭラジオ放送を例に説明したが、これ以外にも、暗号化された有料放送等を受信する受信装置に本発明を適用することができる。また、暗号化は、特に限定的に解釈されるものではなく、符号化された信号やスクランブル処理された信号であってもよい。
【００３５】
次に、本実施例に係るオーディオ受信装置の他の変形例について説明する。図５は、車載用電子装置または車載用電子システムの概略構成を示す図である。車載用電子装置１００は、ナビゲーション機能１１０、オーディオ・ビデオ機能１２０、テレビ・ラジオ受信機能１３０を複合的に含むものであってもよい。そして、オーディオ・ビデオ機能１２０は、上記実施例で説明したように、衛星または地上波ディジタルラジオ信号を受信したり、保存するものであってもよい。
【００３６】
以上、本発明の好ましい実施の形態について詳述したが、本発明は係る特定の実施形態に限定されるものではなく、特許請求の範囲に記載された本発明の要旨の範囲内において、種々の変形・変更が可能である。
【産業上の利用可能性】
【００３７】
本発明に係るオーディオ受信装置は、衛星ディジタル放送や地上波ディジタル放送を受信するオーディオ装置や車載用オーディオ装置において利用される。
【図面の簡単な説明】
【００３８】
【図１】本発明の実施例に係るオーディオ受信装置の構成を示すブロック図である。
【図２】本実施例のオーディオ受信装置におけるデータ保存方法を説明する動作フローである。
【図３】記憶装置の保存内容を説明する図である。
【図４】記憶装置の保存・再生のシーケンスを表す図である。
【図５】本発明のオーディオ装置の変形例を示す図である。
【符号の説明】
【００３９】
１０：オーディオ受信装置              １２：アンテナ
１４：受信部                          １６：デコード部
１８：再生部                          ２０：スピーカー
２２：記憶装置                        ２４：入力インターフェース
２６：ディスプレイ                    ２８：制御部
【図１】
2007142829.tif 000003
【図２】
2007142829.tif 000004
【図３】
2007142829.tif 000005
【図４】
2007142829.tif 000006
【図５】
2007142829.tif 000007